(57)【要約】【課題】顧客に関するデータに基づいて、購入するための適切なファッションを選択するのを助ける方法を提供すること。【解決手段】本発明は、手動ファッションショッピングの方法と、プログラムされたコンピュータ、ＣＤ−ＲＯＭ、テレビ、インターネット、または、ビデオなどの他の電子媒体を用いた、顧客による電子ファッションショッピングの方法とを提供する。上記方法は、顧客から個人情報を受け取るステップ（６０１、６０２）と、個人情報に基づいて体型およびファッションカテゴリを選択するステップ（６０３）と、体型およびファッションカテゴリに基づいて複数の衣服アイテムからファッションを選択するステップ（６０４）と、選択されたファッションに基づいて、複数のファッションデータを出力するステップ（６０５）と、顧客から選択情報を受け取るステップ（６０６）とを包含する。【選択図】図６
2008052753.tif 000002
【特許請求の範囲】
【請求項１】
顧客によるファッションショッピングの方法であって、該方法は、該方法の各ステップを実行するようにコンピュータを利用するものであり、該コンピュータは、入力デバイスと、処理デバイスと、メモリデバイスと、表示デバイスとを含み、該メモリデバイスは、体型およびファッションカテゴリに対応するデータを含む第１のデータベースを格納するためのものであるとともに、複数の衣服アイテムに対応するデータを含む第２のデータベースを格納するためのものであり、
該方法は、
該入力デバイスが、該顧客から個人情報を受け取るステップと、
該処理デバイスが、該受け取られた個人情報に基づいて、複数の体型のうちの１つの体型および複数のファッションカテゴリのうちの１つファッションカテゴリを選択するステップであって、該複数の体型のそれぞれは、個人の骨格または骨組に、１つ以上の解剖学的な部分を囲むある量の肉を足したものを表す体格である、ステップと、
該処理デバイスが、該選択された体型およびファッションカテゴリに基づいて、該メモリデバイス内の該第２のデータベースから該複数の衣服アイテムのうちの少なくとも１つの衣服アイテムに対応するデータを検索するステップと、
該処理デバイスが、該体型およびファッションカテゴリに基づいて、ファッションスタイル提案を生成するステップと、
該表示デバイスが、該複数の衣服アイテムのうちの該少なくとも１つの衣服アイテムに対応する該検索されたデータに基づいて複数のファッションデータを表示し、該生成されたファッションスタイル提案を表示するステップと、
該入力デバイスが、該顧客から選択情報および注文情報を受け取るステップであって、該選択情報および注文情報は、該顧客が注文のために選択した該表示された複数のファッションデータの少なくとも１つの衣服アイテムを識別する、ステップと、
該処理デバイスが、該入力デバイスによって受け取られた該注文情報を処理することにより、該顧客が注文のために選択した該少なくとも１つの衣服アイテムを注文するステップと
を包含する、方法。
【請求項２】
前記個人情報が、バスト、ヒップ、ウエスト、腕長、身長、および正面中心の測定値を含む、請求項１に記載の方法。
【請求項３】
前記個人情報が、前記顧客の顔のデジタル化された画像を含む、請求項１に記載の方法。
【請求項４】
前記個人情報が、請求の目的のための電子商業識別子を含む、請求項１に記載の方法。
【請求項５】
提供された前記ファッションカテゴリが、プチ、ショート、平均、およびトールからなる群から選択される、請求項１に記載の方法。
【請求項６】
前記衣服アイテムが、デイスーツ、イブニングスーツ、ドレス、ローブ、コート、活動的スポーツ、スポーツウエア、普段着、および部屋着からなる群から選択される衣服カテゴリである、請求項１に記載の方法。
【請求項７】
前記ファッションデータが、入手可能な色、製造業者の価格、スタイル、およびサイズの提供を含む、請求項１に記載の方法。
【請求項８】
選択されたファッションのサイズおよびフィットを決定するステップをさらに包含する、請求項１に記載の方法。
【請求項９】
前記サイズおよびフィットを決定するステップが、前記選択されたファッションの最も近いサイズを表示するステップと、調整が必要である場所を示すステップとを包含する、請求項８に記載の方法。
【請求項１０】
前記選択されたファッションを変更する必要がある量を決定するステップをさらに包含する、請求項８に記載の方法。
【請求項１１】
選択されたファッションの入手可能性を決定するステップをさらに包含する、請求項１に記載の方法。
【請求項１２】
前記方法が、前記顧客から注文を受けるステップをさらに包含する、請求項１に記載の方法。
【請求項１３】
前記注文が、音声電話、ファクシミリ送信、およびコンピュータ入力からなる群から選択される手段によって受けられる、請求項１２に記載の方法。
【請求項１４】
個人コード番号を出力して前記顧客を識別するステップをさらに包含する、請求項１に記載の方法。
【請求項１５】
体型が、バストが大きくヒップが小さい、標準、ウエストラインが無い、バストが小さくヒップがより大きい、からなる群から選択される体格である、請求項１に記載の方法。
【請求項１６】
前記ファッションカテゴリが、スリム、がっしり型、肥満、およびかなりの肥満からなる群から選択される、請求項１に記載の方法。
【請求項１７】
前記ファッションカテゴリが、乳児、幼児、小児、ローティーン、およびティーンからなる群から選択される、請求項１に記載の方法。
【請求項１８】
前記ファッションおよび前記ファッションデータが、データベースに含まれる、請求項１に記載の方法。
【請求項１９】
前記個人情報が、複数の体尺測定値と、前記顧客の顔のデジタル化された写真とを含む、請求項１に記載の方法。
【請求項２０】
前記複数のファッションデータを出力するステップが、前記顧客の体尺測定値と、前記顧客の顔の前記デジタル化された写真とに対応する、コンピュータ化された、シミュレートされた体型画像を出力するステップを包含する、請求項１９に記載の方法。
【請求項２１】
前記ファッションデータが、衣料品の説明を含む、請求項１に記載の方法。
【請求項２２】
前記ファッションデータが、アクセサリースタイル番号、アクセサリーの説明、およびアクセサリーの値段を含む、請求項１に記載の方法。
【請求項２３】
前記受け取られた選択情報に基づいて、前記選択されたファッションを更新するステップをさらに包含する、請求項１に記載の方法。
【請求項２４】
前記測定値が、股下丈、中心長、および中心奥行をさらに含む、請求項２に記載の方法。
【請求項２５】
電子媒体を用いる、顧客による電子ファッションショッピングの方法であって、該電子媒体は、入力デバイスと、処理デバイスと、表示デバイスと、体型とファッションカテゴリとに対応するデータを含む第１のデータベースと、複数の衣服アイテムに対応するデータを含む第２のデータベースとに接続されており、
該方法は、
該入力デバイスが、個人コード番号を受け取り、該第１のデータベースと該第２のデータベースとにアクセスするステップと、
該処理デバイスが、入力された該個人コード番号に基づいて、個人情報記録にアクセスするステップと、
該処理デバイスが、該個人情報記録から体型および体型データを検索するステップであって、該体型は、個人の骨格または骨組に、１つ以上の解剖学的な部分を囲むある量の肉を足したものを表す体格である、ステップと、
該表示デバイスが、該検索された体型および体型データを表示するステップと、
該入力デバイスが、該顧客から、買われる衣服アイテムを受け取るステップと、
該処理デバイスが、該受け取られた買われる衣服アイテムと、該検索された体型とに基づいて、該メモリデバイス内の該第２のデータベースから該複数の衣服アイテムのうちの少なくとも１つの衣服アイテムに対応するデータを検索するステップと、
該処理デバイスが、該体型と、該受け取られた買われる衣服アイテムに対応するファッションカテゴリとに基づいてファションスタイル提案を生成するステップと、
該表示デバイスが、該複数の衣服アイテムのうちの該少なくとも１つの衣服アイテムに対応する該検索されたデータに基づいて複数のファションデータを表示し、該生成されたファッションスタイル提案を表示するステップと、
該入力デバイスが、該顧客から選択情報を受け取るステップであって、該選択情報は、該顧客が注文のために選択した該表示された複数のファッションデータの少なくとも１つの衣服アイテムを識別する、ステップと、
該処理デバイスが、該選択された少なくとも１つの衣服アイテムに対する注文を処理し、該顧客に対する納品書を生成し、該顧客によって注文されたすべてのアイテムの在庫記録を生成するステップと
を包含する、方法。
【請求項２６】
前記顧客から選択情報を受け取るステップが、注文をする、別のファッションを見る、やり直しする、ならびにサイズおよびフィット情報を見る、からなる群から選択されるステップである、請求項２５に記載の方法。
【請求項２７】
前記個人情報記録が、前記顧客の複数の体尺測定値を含む、請求項２５に記載の方法。
【請求項２８】
前記体尺測定値が、バスト、ヒップ、ウエスト、腕長、身長、および正面中心を含む、請求項２７に記載の方法。
【請求項２９】
前記個人情報記録が、前記顧客の顔のデジタル化された画像を含む、請求項２５に記載の方法。
【請求項３０】
前記個人情報記録が、商売の目的のための電子商業情報を含む、請求項２５に記載の方法。
【請求項３１】
前記衣服アイテムが、デイスーツ、イブニングスーツ、ドレス、ローブ、コート、活動的スポーツ、スポーツウエア、普段着、および部屋着からなる群から選択される衣服カテゴリである、請求項２５に記載の方法。
【請求項３２】
前記個人情報記録に基づいてファッションカテゴリを決定するステップをさらに包含する、請求項２５に記載の方法。
【請求項３３】
前記ファッションカテゴリが、プチ、ショート、平均およびトールからなる群から選択される、請求項３２に記載の方法。
【請求項３４】
前記ファッションカテゴリが、スリム、がっしり型、肥満、およびかなりの肥満からなる群から選択される、請求項３２に記載の方法。
【請求項３５】
前記ファッションカテゴリが、乳児、幼児、小児、ローティーン、およびティーンからなる群から選択される、請求項３２に記載の方法。
【請求項３６】
前記体型データが、どのスタイルを着るべきであるか、および、どのスタイルを避けるべきであるかに関するデータに関連付けられている、請求項２５に記載の方法。
【請求項３７】
前記体型が、バストが大きくヒップが小さい、標準、ウエストラインが無い、バストが小さくヒップがより大きい、からなる群から選択される体格である、請求項２５に記載の方法。
【請求項３８】
前記ファッションデータが、入手可能な色、製造業者の価格、スタイル、およびサイズの提供を含む、請求項２５に記載の方法。
【請求項３９】
選択されたファッションのサイズおよびフィットを決定するステップをさらに包含する、請求項２５に記載の方法。
【請求項４０】
前記サイズおよびフィットを決定するステップが、前記選択されたファッションの最も近いサイズを表示するステップと、調整が必要である場所を示すステップとを包含する、請求項３９に記載の方法。
【請求項４１】
前記選択されたファッションを変更する必要がある量を決定するステップをさらに包含する、請求項３９に記載の方法。
【請求項４２】
選択されたファッションの入手可能性を決定するステップをさらに包含する、請求項３９に記載の方法。
【請求項４３】
前記方法が、前記顧客から注文を受けるステップをさらに包含する、請求項２５に記載の方法。
【請求項４４】
前記注文が、音声電話、ファクシミリ送信、およびコンピュータ入力からなる群から選択される手段によって受けられる、請求項４３に記載の方法。
【請求項４５】
前記ファッションデータが、衣料品の説明を含む、請求項２５に記載の方法。
【請求項４６】
前記受け取られた選択情報に基づいて、前記選択されたファッションを更新するステップをさらに包含する、請求項２５に記載の方法。
【請求項４７】
衣服のショッピングを助ける方法であって、該方法は、該方法のステップを実行するようにコンピュータを利用するものであり、該コンピュータは、入力デバイスと、処理デバイスと、表示デバイスとを含み、該コンピュータは、衣服アイテムのデータベースへのアクセスが提供されており、該データベースは、該衣服アイテムについてのフィットの多次元モデルを含み、
該方法は、
該入力デバイスが、人から、複数の体尺測定値を含む個人情報を受け取るステップと、
該入力デバイスが、該人から衣服タイプを受け取るステップと、
該処理デバイスが、該データベースから、該衣服タイプの衣服アイテムを選択するステップであって、該選択された衣服アイテムの衣服アイテムフィットモデルは、該受け取られた体尺測定値に基づいて、該処理デバイスよって決定された体型に対応し、該体型は、個人の骨格または骨組に、１つ以上の解剖学的な部分を囲むある量の肉を足したものを表す体格である、ステップと、
該処理デバイスが、該体型と該衣服タイプとに基づいて、ファッションスタイル提案を生成するステップと、
該表示デバイスが、該個人情報と、該選択された衣服アイテムのフィットモデルとに基づいて、該選択された衣服アイテムを着用している該人のモデル化の結果に関するデータを表示し、該生成されたファッションスタイル提案を表示するステップと
を包含する、方法。
【発明の詳細な説明】
【技術分野】
【０００１】
発明の分野
本発明は、顧客によるファッションショッピングの方法に関し、具体的には、顧客に関するデータに基づいて、購入するための適切なファッションを選択するのを助ける方法に関する。
【背景技術】
【０００２】
発明の背景
衣類小売業界に直面している最も大きい問題点の１つは、ぴったりフィットしないという理由による商品の返品である。顧客は特定の製造業者の衣類ラインでの自分のサイズを知らない場合が多いため、フィットは、重要な問題点として挙げられる。この問題点をエスカレートさせているのは、ほとんどの製造業者が、寸法区分に関して、製造業者自身のシステムを開発していることである。百貨店、ブティック、または他の店舗で行われる販売に関して、顧客は、所定の製造業者の衣類ラインから３つまたは４つの異なるサイズを試着して、どのサイズが自分の体にぴったりフィットするかを決めることが多い。これには、時間がかかるし、いらいらする。メールオーダーカタログおよびテレビのホームショッピング業界では、返品が、ファッション販売の最も大きい欠点の１つである。これは、顧客には、購入前に衣料品を試着する機会がなく、所定の製造業者の衣類ラインでその衣料品がどのサイズになるかを推測しなければならないために起こる。顧客が郵便で衣料品を受け取る場合には、衣料品がぴったりフィットせず、返品しなければならないことが多い。顧客が自分のコンピュータを使ってインターネットを介してショッピングをするか、または、商品目録を含むＣＤ−ＲＯＭデータベースを用いてショッピングをする場合にも、同様の問題が起こる。従って、商品がぴったりフィットしないという理由による返品数を減らし、且つ、店内でのショッピング中の商品の試着回数を減らすためのシステムまたは方法が必要とされている。
【０００３】
店内でのショッピングに関する別の欠点は、大量の在庫があるようにしなければならないことである。今日、顧客は、非常に多忙な生活を送っており、すべての商品を調べる時間がない場合が多い。従って、顧客が、迅速且つ効率的に商品を見ることを可能にする方法が必要とされている。
【０００４】
店内でのショッピングに関する他の欠点は、在庫の常時把握に関する。販売員は、どの商品が繰越し注文されているか、または、どの商品が在庫にあるかを把握していない場合が多い。販売員は、顧客に、フロアを見て顧客のサイズのアイテムがあるかどうかを見るように伝える。従って、在庫、および、在庫がない商品を購入する場合には注文在庫を常に把握することが必要とされている。
【発明の開示】
【課題を解決するための手段】
【０００５】
発明の要旨および目的
従って、本発明は、プログラムされたコンピュータ、ＣＤ−ＲＯＭデータベース、対話型テレビ、インターネット、または、ビデオなどの他の電子媒体、あるいは、手動システムを用いる、顧客による電子ファッションショッピングの方法を提供する。これを達成するために、上記方法は、顧客から個人情報を受け取るステップと、個人情報に基づいて、体型およびファッションカテゴリを選択するステップと、体型およびファッションカテゴリに基づいて、複数の衣服アイテムからファッションを選択するステップと、選択されたファッションに基づいて、複数のファッションデータを出力するステップと、顧客から選択情報を受け取るステップと、を包含する。
【０００６】
従って、本発明の目的は、効率を高めながら、顧客により高いサービスおよび簡単なショッピングを提供するために、小売業者および製造業者のためのマーケティングおよび販売の道具として、電子ファッションショッピングおよび手動ショッピングの方法を提供することである。
【０００７】
本発明の別の目的は、顧客が商品を迅速で簡単で便利に見ることを可能にし、且つ、顧客自身の体型と一致し顧客自身の顔を有するシミュレートされた体型を見ることにより、顧客が商品を買う機会および衣服を試着する機会を容易にする、電子ショッピングおよび手動ショッピングの方法を提供することである。
【０００８】
本発明のさらに他の目的は、小売業者および製造業者に、多数回の販売を行い、顧客の支持を築き上げ、そして優れた個人サービスを提供する機会を与える、電子ショッピングおよび手動ショッピングの方法を提供することである。
【０００９】
本発明のさらに他の目的は、簡単な在庫管理を提供し且つ商品がぴったりフィットしないという理由による返品を減らす、電子ショッピングおよび手動ショッピングの方法を提供することである。
【００１０】
本発明のさらに他の目的は、ショッピングに費やす時間を短縮する電子ショッピングおよび手動ショッピングの方法を提供することである。
【００１１】
本発明のさらに他の目的は、女性、男性および子供に、彼ら自身の体型と、その体型を美しく見せる衣服スタイルとを教示し、且つ、彼ら個性およびライフスタイルに基づいてファッションについての彼ら自身の独自の意見の作り方を示すことにより、彼らが、時間、お金、およびフラストレーションを感じる膨大な時間を節約するのを助けるダイナミック個人化システムを提供することである。
【００１２】
上記およびその他の目的は、以下に明らかとなる。
【００１３】
本発明の上記およびその他の特徴は、以下の詳細な説明を図面とともに考慮すればより詳細に説明される。しかし、本発明の範囲は、添付の請求の範囲によってのみ限定される。
【発明を実施するための最良の形態】
【００１４】
好適な実施形態の詳細な説明
コンピュータソフトウェアシステムは、コンピュータ、対話型テレビ、ＣＤ−ＲＯＭデータベース、インターネット、または他の電子媒体、あるいは手動システムを使用する対話型電子ショッピングサービスを提供する。このコンピュータソフトウェアシステムはまた、小売業者および製造業者が、顧客に、個人化されたショッピングの経験を提供して販売員を自由にすることを可能にする店内コンピュータシステムとして使用され得る。このシステムには、典型的な遠隔通信システムを用いて遠隔からアクセスすることができる。例えば、オフィスまたは一般家庭のユーザは、アナログモデム、ＩＳＤＮなどを介して接続し得る。電子ファッションショッピングのためのコンピュータシステムは、ホームショッピングネットワークなどの対話型テレビジョンサービスのためのサービスとして提供され得るか、または、オフラインショッピングを可能にするためにファッションの在庫を含むＣＤ−ＲＯＭを用いて家からアクセスされ得る。あるいは、電子ファッションショッピングのためのコンピュータシステムは、商売を行う、例えば、選択を完了する、および単一の期間で購買する、能力とともに、完全に対話式で且つ最新のショッピングの経験を可能にするために、顧客によりインターネット上でアクセスされ得る。オンラインセッションもまた、在庫点検および高度なモデル化およびレンダリングを行うことを可能にする。
【００１５】
最初に、顧客は、体尺測定値と、顧客の顔のデジタル写真とを含む情報を入力する。小売環境、訓練を受けた販売係、または買物相談係は、顧客がシステムに個人情報を入力するのを補助する。手動システムの場合、データカードが実現される。あるいは、顧客は、補助なしで、用紙または電子予約申込書に記入することができる。電子予約申込書は、例えば、中央システムにアップロードされるコンピュータファイルか、または、インターネットを介して送信されるＨＴＭＬフォームページであり得る。例えば登録時には、顧客には、個人コード番号と請求コード番号とを有する会員カードが割り当てられる。個人識別コードはまた、電子的に送信され得る。個人コード番号は、顧客が、電子ファッションショッピングのためのコンピュータシステムを用いて、自分の個人情報にアクセスし且つショッピングをすることを可能にする。個人コード番号は、顧客を識別し、個人情報の保護を提供し、低減されたリスクで電子的な商業を可能にする。請求コード番号は、例えば各取引についての請求情報を再入力する必要性を無くすなど、顧客が気軽に商品を注文することを可能にする。
【００１６】
コンピュータシステムに入力される個人情報は、クレジット情報、住所、および他の関連する事項とともに、体尺測定値を含む。個人情報は、電子ファッションショッピングシステムのデータベースにおける永久の記録であり、顧客が次にシステムにアクセスするときに冗長な入力は必要でない。しかし、必要に応じてまたは所望であれば、更新または変更が行われ得る。図を参照して、図１は、システムにアクセスする前に電子ファッションシステムに入力しなければならない体尺測定値を示すボディフレームを示す。体尺測定値は、正面中心２、腕長４、バスト６、ウエスト８、ヒップ１０、および身長１２を含む。正面中心２は、顧客の首の窪みから臍まで測定される。腕長４は、肩の端から腕の手首まで測定される。ズボンの場合、股下丈、中心長、および中心奥行を含む追加の測定値が必要とされ得る。顧客はまた、デジタルカメラで撮った自分の顔写真を提示し得るか、あるいは、電子ファッションショッピングサービスによりデジタル化される写真を提示し得る。システムが異なる角度で顔を正確に描くことができるように、正面図、側面図、背面図などを示す、多数の顔写真が提示されることが好ましい。
【００１７】
個人情報が入力された後、システムは、体尺測定値に基づいて体型を判定する。システムによる判定に応じて、体型は、個人の骨格または骨組に、特定の解剖学的な部分を囲むある量の肉を足したものである。手動システムは、表、チャート、または式を使用し得る。ファッションは、スタイルを決定する、特定の形状およびサイズに構成された布または織地である。裁断時の布の量およびサイズは、特定の骨格および肉領域上に配置され、これにより、プロセスの結果であるファッションまたは見た目が決定される。すべての形状がすべての骨格にフィットするわけではなく、従って、すべてのスタイルがすべての体型にフィットするわけではない。例えば体が衣類ラインには大きすぎるなど、ある特定の制限は物理的であるが、幾つかの制限は、美的なものであり、「好み」の問題として決定されなければならない。
【００１８】
体型を知ることにより、システムは、顧客が、ファッションカテゴリによりシステムにおけるすべての適切な衣料に即時にアクセスすることを自動的に可能にすることができるようになり、さらに、様々な衣服のモデル化された提示が可能になる。電子ファッションショッピングのためのシステムは、個人情報および入手可能な衣料品のエキスパートシステム分析に基づいており、また、どの形状が顧客の体型を最も美しく見せるかを推薦し、且つ、Andrea Rose(R)および他の任意のデザイナーによるファッションの他の推薦および情報を推薦する。従って、システムは、顧客の体型を特徴付ける個人化された「チャート」を提供する。このチャートは、物理的印刷文書または電子的表示であり得る。このチャートはまた、顧客独自の形状を美しく見せる最良のデザインについての情報と、衣服の着方および有効なショッピングの方法についての提案とを有する。
【００１９】
本質的に、コンピュータシステムは、ファッションコンサルタントのような役割を果たし、衣類の特定の問題点に取り組み、顧客に、製造業者の衣服での顧客のサイズを知らせ、そして、フィットの問題点があるかどうかを判定し、それにより、顧客には、衣料品に対して必要とされる変更が知らされる。
【００２０】
ファッション業界は、衣料品についての特定のフィットに関しては規格化されておらず、特に、所定のサイズに関する製造業者の理想とわずかでも異なっている個人についての特定のフィットに関して規格化されていない。従って、１つの製造業者の特定のサイズの衣料品が、必ずしも、別の製造業者の衣料品と同じようにフィットするとは限らず、同じ製造業者でスタイルの異なる衣料品とも同じようにフィットするとは限らない。従って、本発明の目標は、単純なサイズ区分コードの使用を超越し、入手可能な衣料品に関して顧客の体型の完全な分析を行い、フィットをモデル化して、許容可能性を判定することである。さらに、モデル化に関して、システムはまた、ほぼフィットしている衣料品が、許容可能なフィットを作り出すように効率的に変更され得るかどうかを判定する。
【００２１】
衣料品のフィットに関する問題は概して、男性または子供よりも女性の方がより大きい。これは、女性にはより多くのスタイルがあり、且つ、織地がより大胆に裁断されるためである。
【００２２】
本発明によるシステムはまた、分析において、衣料品の耐用年数にわたる衣料品の縮みまたは形状変化の分析を含み得る。従って、洗濯される木綿の衣料品は、縮みやすい。従って、在庫に入れる衣料品の特性を判定する際には、新品状態および環境的に循環した状態の両方が、判定および格納され得る。
【００２３】
各顧客のファッションカテゴリは、顧客の体尺測定値に基づき、女性の場合、ファッションカテゴリは、解剖学的構造に基づく。これらのファッションカテゴリは、プチ、ショート（ジュニアとしても知られている）、平均、およびトールである。以下のチャートは、各ファッションカテゴリに関する身長１２および正面中心２を示す。
【００２４】
【表１】
2008052753.tif 000003
【００２５】
これらのカテゴリは一般に認識されているため、これらのカテゴリは分析の開始点となるが、本発明はこれに限定されない。
【００２６】
尚、正面中心２が１"であるかまたは上記の標準未満であれば、その人は、胴が短い。正面中心２が１"であるかまたは上記の標準よりも大きければ、その人は、胴が長い。胴が長いまたは短い顧客に関して、追加情報がシステムにより出力され得る。
【００２７】
これらのファッションカテゴリ（即ち、プチ、ショート、平均、およびトール）は、AmericanFashion Industriesのカテゴリであるプチ、ジュニアプチ、ミッシー、ジュニア、ラージ、およびハーフサイズから変換される。これらのカテゴリはまた、子供および男性にも使用され得る。あるいは、男性の場合、ファッションカテゴリは、スリム、がっしり型、肥満、およびかなりの肥満である。子供の場合、ファッションカテゴリは、乳児、幼児、小児、ローティーン、およびティーンである。
【００２８】
ファッションカテゴリの各々は、体型とともに使用される。例えば、プチの女性は、バストが大きくヒップが小さい体格、標準体格、ウエストラインの無い体格、およびバストが小さくヒップがより大きい体格、を含む４つの異なる体型のうちの１つであり得る。プチの女性の身長は、４６１／２インチと５４インチとの間である。プチの場合、正面中心２は、１２ ３／４インチと１３ １／２インチとの間であり、腕長４は、２０ １／２インチと２２ １／２インチとの間である。以下のチャートは、コンピュータシステムがその体型データベースに含む、プチの女性の、エキストラスモール（Ｘスモール）、スモール、ミディアム、ラージおよびエキストララージ（Ｘラージ）およびエキストラエキストララージ（ＸＸラージ）の枠のバスト、ウエスト、ヒップのインチ単位の測定値のリストの例である。エキストラスモールは典型的にはサイズ２〜４であり、スモールは典型的にはサイズ６〜８であり、ミディアムは典型的にはサイズ１０〜１２であり、ラージは典型的にはサイズ１２〜１４であり、エキストララージは典型的にはサイズ１６〜１８であり、エキストラエキストララージは典型的にはサイズ２０〜２４であり、クイーンは典型的にはサイズ１ｘ〜４ｘである。
【００２９】
【表２】
2008052753.tif 000004
【００３０】
【表３】
2008052753.tif 000005
【００３１】
【表４】
2008052753.tif 000006
【００３２】
尚、ショート、平均、およびトールのファッションカテゴリについての対応するチャートもある。
【００３３】
図２は、電子ファッションショッピングシステムの好適な実施形態のメインメニューを示す。メインメニューコンピュータインタフェース画面は、顧客に、顧客がショッピングをしたい分野を選択するよう要求する。顧客は、スキャンしたい衣服アイテムを選択する。この衣服アイテムは、デイスーツ１４、イブニングスーツ１６、デイドレス１８、ローブ、コート２０、活動的スポーツ２２、スポーツウエア２４、普段着および部屋着２６、または他の任意のファッションカテゴリを含む。好適なシステムは、マイクロソフトウィンドウズ（登録商標）（Microsoft Windows（登録商標））およびウィンドウズ（登録商標）９５（Windows（登録商標） 95）の下での典型的なグラフィックインタフェースとして実現されるが、他のオペレーティングシステムおよびインタフェースを使用してもよい。選択は、タッチスクリーンコンピュータモニタ、マウスまたはキーボードを用いて行われる。
【００３４】
対話型テレビの環境では、システムと対話および通信するために、赤外遠隔制御装置が使用される。システムはまた、選択を検討した後、分析および提示のための他の関連する情報にアクセスし得る。例えば、デイスーツおよびイブニングスーツなどの幾つかの衣服アイテムには、アクセサリーが入手可能であり得る。さらに、靴もまた選択することができる。靴のショッピングの場合、衣服と調和する基本的な色合い、黒または他の中間色が選択される。
【００３５】
各衣服アイテムは、各ファッションカテゴリのファッションデータベースの部分を参照する。図３が示すように、サブメニューは、各カテゴリについてのファッションの選択を可能にする。例えば、顧客によりデイスーツが選択された場合、プチなどのファッションカテゴリのデイスーツについてのファッションデータベースの最初のエントリが示される。システムはまた、決定された優先順位付けに基づいて選択の適応提示を提供し得る。データベースのエントリまたはファッションの各々は、対応するファッションデータを有する。ファッションデータは、選択されたファッションを着用している顧客の体型を有するモデルの、コンピュータ画面上に描かれる投影の提示を可能にする。モジューラグラフィックエレメントにより、手動による提示もまた可能である。モデルの顔は、顧客により個人情報として提示された、単数または複数のデジタル化された写真である。そのような写真が入手不可能である場合、顧客は、複数の顔モデルから、提示に使用するのに適した顔モデルを選択し得る。これは、顧客に、特定のスタイルを着用している顧客がどのように見えるかを視覚的に下見する機会を与える。モデルは、２次元の投影であり得るか、または、回転または動画を可能にする３次元表面マッピングを含み得る。他のファッションデータは、ファッションの入手可能な色２８、製造業者３０、ファッションの価格３２、説明３４、および入手可能なサイズ３６を含む。アクセサリーが含まれる場合、スタイル番号、説明、およびアクセサリーの価格が、ファッションデータとして含まれる。
サブメニューは、顧客が、インジケータを選択することにより、サイズおよびフィット情報メニュー３８、選択された衣服アイテムについてデータベースの別の衣料品を見る４０、注文４２、またはやり直し４４を選択することを可能にする。
【００３６】
図４は、電子ファッションショッピングシステムのサイズおよびフィット情報メニューを示す。各ファッションについて、顧客が「サイズおよびフィット情報」押しボタンまたはアイコンを選択することにより選択して見ることができる、対応するサイズおよびフィット情報メニューがある。システムは、顧客の体尺測定値を、衣料品製造業者のサイズ区分チャートまたは衣料品の実際の測定値と比較する。システムは、汎用等級付けシステム（universal grading system）およびスローパーの概念を用いる。全てのサイズはスローパーから引き出される。異なる製造業者は、異なるスローパーを有する。例えば、サイズ１０で始まり、すべての次のサイズには、織地の各側に１インチが加えられる。コンピュータシステムまたは手動システムは、このサイズの差分を考慮に入れる。サイズ１２の後、織地の各側に１１／２インチが加えられ、サイズ１６に達した後、織地の各側に２インチが加えられることが可能である。
【００３７】
最初に個人情報として集められた個人の体尺測定値に基づいて、正しい衣料品サイズが計算され、正しく提示される。従って、例えば、顧客は、Ellen Tracyのドレスではサイズ６であり得、Tahariのドレスではサイズ１２であり得る。従って、これにより、顧客がどのサイズであるかを推測する必要がなくなり、および、選択された衣服アイテムについてどのサイズが正しいサイズであるかを判断するために所定の製造業者の幾つかの異なるサイズを試着する必要性が無くなる。これは、顧客の測定値に依存する。自動システムでは、コンピュータは、製造業者についての正しいサイズを教え、顧客が、同じ衣料品の幾つかの異なるサイズではなく１つのサイズを更衣室に持って入るか、または、自分のサイズを知っており試着せずに家に持って帰るだけでよくなるようにする。最も近いサイズがコンピュータスクリーンあるいはプリンタに出力される。サイズおよびフィットサブメニューについて、コンピュータシステムは、デジタル化された顧客の顔写真を含む、顧客の体のバーチャルマネキン４６を生成する。このバーチャルマネキン４６は、顧客に、自分が選んだファッションがどのようにフィットし且つどのように見えるかを示す。システムはまた、ポインタまたは矢印４８を生成し、このポインタまたは矢印４８は、どこに変更を行う必要があるかを示し、且つ、選択されたファッションがどれくらいの変更を必要としているかを特定する。調整する必要のある量は、インチで示されるが、メートル法を用いて示されてもよい。
【００３８】
あるいは、必要とされる変更は、コンピュータシステムにより格納され得、自動または半自動の仕立てシステムにおいて使用され得る。従って、一旦変更が決定されると、変更の実現のために、変更を仕立て屋に手動で送信する必要はない。さらに、システムは、いわゆるフィードバックシステムを含み得、顧客は、選択された衣料品およびテスト用衣料品を試着して、フィットおよびファッションが適切であるかどうかを判断し、コンピュータにフィードバックを与える。コンピュータは、フィードバックに基づいてその未来の(future)分析を変更する。例えば、１つ以上のテスト衣料品が試着され得、これにより、実際の衣料品のより大きい組への一般化が可能になる。別の実施形態では、電子撮像システムは、選択された衣料品またはテスト衣料品を着用した顧客を見て、体のサイズおよび形状についてのさらなる個人情報を得る。
【００３９】
図３に示されるサブメニューでは、製造業者、価格、および説明、などの他のファッションデータもまた示される。顧客は今、製造業者の衣料品についての自分の正しいサイズと、必要とされる必要な変更があれば、その変更とを知っているため、顧客が自分の購入に満足する可能性がより高く、返品が必要となる可能性がより低い。顧客の体尺測定値はまた、コンピュータ画面に示され得る。顧客はまた、サイズおよびフィット情報メニューから別のスーツを見る４０、注文４２、またはやり直し４４のためのオプションを有する。
【００４０】
選択された衣服アイテムについての現在のファッションデータベース中の別のファッションを見るためには、顧客は、コンピュータ画面上の「別のスーツを見る」アイコンを選択する。その後、別のデータベースエントリおよび対応するファッションデータが表示される。注文するためには、顧客は、注文サブメニューを選択する。このメニューは、顧客が、コンピュータにより注文するか、電話で注文するか、または、注文をファクシミリで送ることを可能にする。電子商業システムが実現される場合、各取引は、顧客の口座に請求され、その後、顧客に郵送されるか、または船で送られる。言うまでもなく、顧客はまた、小売場所で衣服を選んでもよい。請求コードが入力され、この請求コードは、適切な名前、出荷先住所、請求先住所、および他の関連する情報を生成する。このスタイル番号、コスト、サイズ、および色がまた入力されるか、または、選択されたファッションのために自動的に提供される。店内での場合、販売係は、試着準備ができているか、または、包装されて渡す準備ができているアイテムを有し得る。ドライクリーニング業界で使用されるような自動格納および検索システムは、選択された在庫を検索するために用いられ得る。
【００４１】
やり直しをするためには、顧客は、やり直しアイコンを選択する。すると、顧客は、デイスーツ、イブニングスーツ、ドレス、ローブ、コート、活動的スポーツ、スポーツウエア、普段着、および部屋着などの別の衣服アイテムを選択し得る。
【００４２】
システムは、任意には、ファッション反映サブメニューを有し、このファッション反映サブメニューは、コンピュータ画面に顧客の体型を出力し、判定された体型についてのファッション形状を提案し、着用を避けるためにファッション形状を提案する。この情報は、付属のプリンターで印刷され得るか、または、後に印刷するためにディスケットにダウンロードされ得る。
【００４３】
次に図５を参照して、この図は、顧客の体型に基いて、デザイナーによる「べき」および「べからず」とともに、ファッション提案の分析を示す。システムは、顧客独自の体型についての提案ファッション形状５０と、着用を避けるための提案されたファッション形状５２とを出力する。体型が判定されると、システムは、ファッションの「べき」および「べからず」をチャート形式で出力し得る。プチファッションカテゴリを例に挙げると、システムは、ボレロ、クロッピングされた（cropped）ジャケットおよび、小さい折り襟およびカラーの短いテーラードジャケットが非常によく合う、と出力する。この場合、システムはまた、プチサイズの人は、ロングスカートを避けるべきであり、それは、余分な長さがプチサイズの人をより小さく見せ、長い衣料品が体を縮め、より背が低い見た目を与えるからであることを述べる。システムはまた、プリント模様を選択する場合には、より大きい模様は派手になりやすくプチサイズの体には釣合いが悪いため、より小さい模様の方がよい、と出力する。縦ストライプは、身長の錯覚を作り出すため、上手な選択である。プチサイズの女性を圧倒する太いストライプよりも、細いストライプを合わせる方がよい。システムはまた、アクセサリーを選ぶ際に、大きすぎるものを避け、その代わりに細いベルト、幅が広すぎず且つ小さすぎないスカーフ、より上品な宝石類を選択することが重要である、と出力する。
【００４４】
標準プチサイズの人の場合、以下の情報が、コンピュータ画面に出力されるか、または、手動システムが使用されている場合には、データカードに提供される。
【００４５】
着るべき
・プリーツスカートおよびダーンドルスカートは、ウエストおよびヒップへのボリュームを助け、あなたの細い枠に形を加えます。
【００４６】
・ぺプラムは、あなたの体型に形およびボリュームを作り出す別の優れた装いです。
【００４７】
・ブラウスをボレロベストと一緒に着ても、あなたの姿を美しく見せます。
【００４８】
着るべきでない
・大きなフリルは、多すぎる織地であなたを圧倒するため、避けること。
【００４９】
・大きい肩パッドは、あなたの体のプロポーションをくずします。
【００５０】
・レーヤは、あなたをより小さく見せます。
【００５１】
バストが小さくヒップが大きいプチサイズの人の場合、以下の情報が、コンピュータ画面に出力されるか、または、手動システムが使用されている場合には、データカードに提供される。
【００５２】
着るべき
・Ａラインのスカートおよびドレスは、均等なプロポーションの体の錯覚を作り出します。
【００５３】
・ウエストから５〜７インチ下までのジャケットは、トップとボトムのサイズ差をカムフラージュし、より良いプロポーションを作り出します。
【００５４】
・セパレーツを買うこと。それにより、１つのサイズのツーピース一式の場合に必要となり得る変更の必要性が無くなります。
【００５５】
着るべきでない
・ヒップのふくよかさを強調するプリーツスカートを避けること。
【００５６】
・ウエストにギャザーのあるフルダーンドルスカートは、ウエストを強調するため、避けること。
【００５７】
・バストとヒップとの不均衡なサイズ差に注目を集めるタイトスカートを避けること。
バストが大きくヒップが小さいプチサイズの人の場合、以下の情報が、コンピュータ画面に出力されるか、または、手動システムが使用されている場合には、データカードに提供される。
【００５８】
着るべき
・４〜７インチ下までのジャケットがよく似合います。このスタイルは、サイズ差をカムフラージュし、より均整のとれた姿を作り出します。
【００５９】
・ウエストから４〜７インチ下までのベストは、あなたの姿により均等なプロポーションを作り出します。
【００６０】
・暗い色のトップが、バストをより小さく見せます。
【００６１】
着るべきでない
・ブルゾン（通常底部にゴムを有し、ヒップまであるフルブラウス）を避けること。このスタイルは、トップに、必要でない余分なボリュームを与えます。
【００６２】
・トップに白、ボトムに黒を着ないこと。白は、より大きく見える錯覚を与え、黒は、より小さく見える錯覚を与えるため、この組み合わせは、差を強調します。
【００６３】
・シャツの横ストライプは、トップをより大きく見せます。
【００６４】
胴が短い正面中心２を有するプチサイズの人の場合、以下の情報が、コンピュータ画面に出力されるか、または、手動システムが使用されている場合には、データカードに提供される。
【００６５】
着るべき
・ウエストから４〜７インチ下までのジャケットは、胴体を長くみせます。
【００６６】
・Ａラインのドレスおよびまっすぐなドレスは、胴をカムフラージュします。
【００６７】
・ウエストから少なくとも４インチ下までのアウトブラウスは、ウエストをごまかすことにより、見た目を均等にする助けとなります。
【００６８】
着るべきでない
・ベルトを避けるようにすること。ベルトは、胴の短さに注意を引きます。
【００６９】
・クロッピングされたベストおよびショートジャケットはウエストを強調し、胴をより短く見せます。
【００７０】
・トップおよびボトムの色が異なるぴったりしたツーピーススーツは、着るべきではありません。色のコントラストが、上半身の長さと下半身の長さとの差を強調します。
胴長の正面中心２を有するプチサイズの人の場合、以下の情報が、コンピュータ画面に出力されるか、または、手動システムが使用されている場合には、データカードに提供される。
【００７１】
着るべき
・ウエストから３〜７インチ下までのジャケットが最も似合います。このスタイルは、プロポーションを均等にします。
【００７２】
・体に合ったＡラインのドレスは、胴長から注意をそらします。
【００７３】
・一色のツーピースセットは、胴により均等な見た目を与えます。
【００７４】
着るべきでない
・ボレロまたはクロッピングされたジャケットは、正面中心の長さを強調するため、避けること。
【００７５】
・ヒップハンガーは、長い胴をより長く見せます。
【００７６】
・ウエストに注目を集め且つプロポーションの差を示すベルトを着用しないようにすること。
【００７７】
上記情報は、例示的なものであって、これらに限定されることを意味するものではない。さらなる情報または代替の情報が、提示され得る。
【００７８】
次に図６を参照して、これは、本発明の１つの実施形態の電子ファッションショッピング方法のフローチャートである。ステップ６０１で、システムは、個人コード番号を受け取り、ファッションのデータベースにアクセスする。個人コード番号は、顧客に関連する個人情報にリンクされる。６０２で、入力された個人コード番号に基づいて、個人情報記録にアクセスする。ステップ６０３で、個人情報の発生に基づいて、体型およびファッションカテゴリが決定される。任意には、個人情報記録に基づいて、体型に関連する情報および体型が出力され得る。次に、ステップ６０４で、顧客からの買いたい衣服アイテムが受け取られる。任意には、システムは、体型およびファッションカテゴリに基づいて、衣服アイテムからファッションを選択する。ステップ６０５で、システムは、選択されたファッションに基づいて複数のファッションデータを出力する。任意には、システムは、体の形状と、意図された体型情報（tips）とを提案する。最後に、ステップ６０６で、システムは、顧客から選択情報を受け取る。
【００７９】
電子ファッションショッピングのためのコンピュータシステムは、簡単な在庫管理を可能にする。なぜなら、データベース記録を更新することにより、いつでも商品の写真を変えることができ、システムが、どれが在庫にあり、どのサイズがあり、どれを注文しなければならないかを常に把握しているからである。システムはまた、在庫にないアイテムがいつ入荷するかについての情報を含み得る。在庫管理は、自動格納および検索システムと一体にされてもよく、それにより、在庫のスペース効率がよりよくなる。
【００８０】
ショッピングプロセスを個人化し且つ簡略化するため、システムは、より良い顧客サービスを提供する。システムは、顧客が、フィットするより多くの衣服についてより少ない時間で考えることを可能にし、顧客に、より多くの購入機会を与え、従って、伝統的なショッピング方法と比べて、システムの効率を増加する。
【００８１】
コンピュータシステムは、コンピュータ、ＣＤ−ＲＯＭ、インターネットもしくはテレビ上で、または、手動システムを介して製品を販売する小売業者および製造業者のためのアプリケーションを有する。システムはまた、製品を直接販売する製造業者、カタログ会社、自分のラインを市場に出すファッションデザイナー、または、自身の製品を販売するオンラインネットワークのためのアプリケーションを有する。コンピュータシステムは、ホームショッピングをする人に、伝統的に店内サービスだけであると考えられているものを提供することにより、対話型オンラインホームショッピングの成功を助ける。
【００８２】
以上のことから、図面に関して説明された実施形態が単に例示的なものであり、当業者が、本発明の精神および範囲から逸脱することなく、示した実施形態に対して変更および改変を行い得ることが理解されるはずである。そのような変更および改変はすべて、添付の請求の範囲に規定される発明の範囲内に含まれることが意図される。
【図面の簡単な説明】
【００８３】
図面の簡単な説明
本明細書において、本発明の様々な実施形態が図面を参照して説明され示される。図中、同じアイテムは、同じ参照番号で示される。
【図１】図１は、システムにアクセスする前に、電子ファッションシステムに入力しなければならない体尺測定値を示すボディフレームを示す。
【図２】図２は、本発明による電子ファッションショッピングシステムのメインメニュー画面を示す。
【図３】図３は、本発明による電子ファッションショッピングシステムの、選択されたファッションについてのファッションデータを示すサブメニューを示す。
【図４】図４は、本発明による電子ファッションショッピングシステムのサイズおよびフィット情報メニューを示す。
【図５】図５は、本発明による、顧客の体型に基づく、デザインの「べき」および「べからず」を含むファッション提案の分析を示す。
【図６】図６は、電子ファッションショッピングの方法を説明するフローチャートである。
【図１】
2008052753.tif 000007
【図２】
2008052753.tif 000008
【図３】
2008052753.tif 000009
【図４】
2008052753.tif 000010
【図５】
2008052753.tif 000011
【図６】
2008052753.tif 000012